(57)【要約】【課題】  トリミング処理を施したセンドデータの印刷時品位を向上させることの出来る複合機能印刷装置を提供する。【解決手段】  紙原稿をＰＤＦなどのドキュメントフォーマットに変換した後、他デバイスへ送信するセンド機能において、原稿の送信対象をトリミングした場合のみ、該トリミングオブジェクトが印刷時に、送信者の思惑と異なり、受信者により予期せず拡大印刷されたとしても、ユーザ指定のセンド解像度とほぼ同等な印刷解像度を実現できるように、より大きな読み込み解像度を自動で選択できる機能を有する事を特徴とする。【選択図】        図１
2006262345.tif 000002
【特許請求の範囲】
【請求項１】
特定の電子ファイルフォーマットで最も一般的に使用される印刷用紙サイズを、特定フォーマット標準サイズとして登録できる機能と、紙原稿をスキャニングして電子データ化した後、部分的切り出し処理を施したトリミングイメージデータを前記特定フォーマットに変換した後、他のデバイスへ送信する場合、前記特定フォーマットトリミングイメージデータを受信する複合機能印刷装置において、前記特定フォーマット標準サイズに拡大印刷しても、送信ユーザが指定した送信解像度と類似の解像度で印刷可能な、第二の送信解像度を算出する機能と、
前記第二の送信解像度で前記紙原稿を指定部分のみ切り出して、すなわちトリミングして、スキャニングする機能を有することを特徴とする複合機能印刷装置。
【請求項２】
前記特定電子ファイルフォーマットとしては、ＴＩＦＦ、ＪＰＥＧというイメージフォーマットを除き、ＰＤＦ等のドキュメントフォーマットである事を特徴とする複合機能印刷装置。
【請求項３】
前記第二の送信解像度でのスキャニングは、前記特定電子ファイルフォーマットが指定され、送信原稿の部分的切り出し、すなわちトリミングが選択された場合のみ実行される機能を有する事を特徴とする複合機能印刷装置。
【請求項４】
前記第二の送信解像度によるスキャンを実行する前に、ユーザにその旨を通知し、ユーザの許可を得るユーザインタフェースを有することを特徴とする複合機能印刷装置。
【請求項５】
前記第二の送信解像度算出のために、少なくとも特定電子ファイルフォーマット標準サイズ、トリミング原稿サイズ、指定送信解像度の３つのパラメータを用いて計算する事を特徴とする第二送信解像度算出手段を有することを特徴とする複合機能印刷装置。
【請求項６】
前記、少なくとも特定電子ファイルフォーマット標準サイズ、トリミング原稿サイズ、指定送信解像度の３つのパラメータを用いて計算した第二送信解像度算出値から、該複合機能印刷装置が有しているスキャニング機能を実行可能な複数のスキャニング解像度値の中から、前記第二送信解像度と最も近い近いスキャニング解像度値を、第二送信解像度として選択する第二送信解像度算出手段を有することを特徴とする、複合機能印刷装置。
【発明の詳細な説明】
【技術分野】
【０００１】
本発明は空港、ホテル、駅、コンビニエンスストアなどのパブリックな環境に設置され、従来のファクシミリ装置に替わって、紙原稿を電子ファイル化して送信できる、データ送信機能付複合機能印刷装置（以降ＭＦＰ：Ｍｕｌｔｉ  Ｆｕｎｃｔｉｏｎａｌ  Ｐｅｒｉｐｈｅｒａｌ  と称す）に関する。
【背景技術】
【０００２】
現在、カメラ付携帯電話及び高解像度デジタルカメラの急激な普及により、カラーイメージデータを扱う機会が、ビジネス及びプライベートにおいて加速度的に拡大しつつある。必然的にカラーイメージデータの送信サービスという市場が要求され、従来から在るコンビニエンスストアのコピー＆プリンタに対して、さらに、データ送信機能を有したＭＦＰがとって代わる事が予想される。特にカラースキャナを有したＭＦＰの場合、これまで、普及が全く進まなかったカラーファクシミリに成り代わり、カラー原稿の送信装置であるパブリックＭＦＰとして、大いに利用される可能性を秘めている。
【０００３】
このパブリックＭＦＰが空港やコンビニエンスストアに普及された場合、紙原稿をスキャンしてＰＣに送信するユーザの中には、紙原稿の不要部分を削除して送信するトリミングスキャンユーザも多数存在すると予想される。
【０００４】
スキャンデータのトリミングに関しては、トリミングデータをより扱いやすいようにスキャン後のハンドリングを工夫する先願例として以下のようなものが在る。
【０００５】
特許文献１ではトリミングした画像データが収まる最小サイズの用紙を選択する複写機が提案されている。
【０００６】
また、特許文献２ではトリミングデータの画質を保証するためにスキャン画像はメモリが許す限り、まず非圧縮で格納する複写機が提案されている。
【特許文献１】特開平０５−３２８０９６号公報
【特許文献２】特開２００４−３２０４９号公報
【発明の開示】
【発明が解決しようとする課題】
【０００７】
送信のため、紙原稿をパブリックＭＦＰのスキャナから読み込ませ、送信電子データに変換する場合、そのデータフォーマットはＴＩＦＦ、ＪＰＥＧを代表とするイメージフォーマットからＰＤＦに代表されるドキュメントフォーマットに主流が移りつつある。これは、多ページでもデータサイズが小さく、Ｖｉｅｗが容易でありことが主な長所であるが、ドキュメントフォーマットは印刷用紙サイズの規定が厳密でなく、一般的に印刷の際、プリンタドライバにより文書内のオブジェクト（イメージ、テキスト、グラフィクスデータなど文書内の構成要素）が標準印刷用紙サイズに自動拡大される。この場合、トリミングして送信されたＰＤＦデータはその個々のオブジェクトサイズが小さいと、受信者が印刷を行う際、拡大画像になって印刷解像度が低くなり、満足な画質が得られないと言う問題がある。
【０００８】
先に紹介した特許文献２では全てのスキャン画像をメモリが許す限り、まずは非圧縮で格納するというもので、トリミングという条件で処理を変えるものではなく、また、メモリの上限値になればそれ以降は圧縮画像となるため、多ページ原稿の前半と後半で画質が変るという問題が在る。
【０００９】
本発明ではトリミングスキャン＆送信時に面積サイズが小さい文書オブジェクトを、送信先で拡大印刷された場合でも、送信者が期待した画質で印刷されるような、スキャン＆送信方法を実現する複合機能印刷装置を提供することを目的とする。
【課題を解決するための手段】
【００１０】
上記目的を達成するために、請求項１〜６で示す複合機能印刷装置において、
ＰＤＦ、ＪＰＥＧ、ＴＩＦＦなどの一般的な送信フォーマットのうち、特定のフォーマットで最も一般的に使用される印刷用紙サイズを“特定フォーマット標準サイズ”として複数登録できる機能と、
トリミングした原稿内オブジェクトを前記特定フォーマットで、ＰＣまたは他ＭＦＰ（これらを総称してデバイスと呼ぶ）に送信する場合、前記トリミングオブジェクトを前記特定フォーマット標準サイズに拡大印刷しても、ユーザが指定した送信解像度が保証できる第二の送信解像度を算出する機能と、
前記第二の送信解像度でトリミングオブジェクトをスキャニングする機能と、
前記第二の送信解像度でのスキャニングは前記特定フォーマットが指定され、原稿のトリミングが選択された場合のみ実行される事を特徴とする機能と
前記第二の送信解像度によるスキャニングを実行する前に、ユーザにその旨を通知し、ユーザの許可を得るユーザインタフェースと、
前記第二の送信解像度算出のために、少なくとも特定フォーマット標準サイズ、トリミング原稿のオブジェクトサイズ、センド解像度の３つのパラメータを用いて計算することを特徴とする第二送信解像度算出手段と、
を有するものである。
【００１１】
即ち、従来の複写機がトリミングしたオブジェクトデータを自動拡大したり、適正印刷用紙サイズを設定したりと、オブジェクトの大きさに従って、付加処理を決定していたのに対して、
（１）送信するデータフォーマットにより処理の実行を判断する
例えばＴＩＦＦ、ＪＰＥＧなどのイメージフォーマットでは実行しない。ＰＤＦなどのドキュメントフォーマットで実行する
（２）ドキュメントフォーマットのデフォルト印刷サイズを入力或いは事前登録させる
（３）該フォーマットデフォルト印刷サイズ、トリミングオブジェクトの大きさ、ユーザ指定の送信解像度から、トリミングオブジェクト用の第二の送信解像度を算出する
（４）前記第二の送信解像度とは、トリミングオブジェクトをデフォルト印刷サイズに拡大しても、ユーザ送信解像度と同等の印刷解像度となる
（５）印刷枚数課金からデータ従量課金にＭＦＰの課金体制が変化しても不要にユーザの負担にならないＵＩ機能を追加する
と言う点で新規性があり、ＰＤＦによるトリミングセンド行う上でその印刷画質の向上に大きな効果が期待できる。
【００１２】
すなわち、本発明は、特定の電子ファイルフォーマットで最も一般的に使用される印刷用紙サイズを、特定フォーマット標準サイズとして登録できる機能と、紙原稿をスキャニングして電子データ化した後、部分的切り出し処理を施したトリミングイメージデータを前記特定フォーマットに変換した後、他のデバイスへ送信する場合、前記特定フォーマットトリミングイメージデータを受信する複合機能印刷装置において、前記特定フォーマット標準サイズに拡大印刷しても、送信ユーザが指定した送信解像度と類似の解像度で印刷可能な、第二の送信解像度を算出する機能と、
前記第二の送信解像度で前記紙原稿を指定部分のみ切り出して、すなわちトリミングして、スキャニングする機能を有することを特徴とする複合機能印刷装置である。
【発明の効果】
【００１３】
紙原稿をＰＤＦなどのドキュメントフォーマットに変換した後、他デバイスへ送信するセンド機能において、原稿の送信対象をトリミングした場合のみ、該トリミングオブジェクトが印刷時に、送信者の思惑と異なり、受信者により予期せず拡大印刷されたとしても、ユーザ指定のセンド解像度とほぼ同等な印刷解像度を実現できるように、より大きな読み込み解像度を自動で選択できる機能を有する事で、トリミング処理を施したセンドデータの印刷時品位を向上させるという効果がある。
【発明を実施するための最良の形態】
【００１４】
以下本発明を実施するための最良の形態を、実施例により詳しく説明する。
【実施例】
【００１５】
［第一実施例］
図１に本発明の第一実施例であるパブリックＭＦＰを用いたトリミングイメージ画像送信及び該画像印刷システムでのデータの流れと機能の概要を示す。尚、文中表現する“センド機能”とはスキャンしたイメージデータをＥｍａｉｌ、ＦＡＸ、インターネットＦＡＸ、ＳＭＢ等の様々な通信プロトコルを用いて、ＰＣ或いは他のＭＦＰに送信する機能全般を指す。近年のＭＦＰは“コピー機能”、“プリント機能”、“センド機能”を有するものが一般的である。
【００１６】
１は本発明を実施したイメージ画像送信用ＭＦＰであり、空港、ホテル、コンビニエンスストアなどのパブリックな環境に設置され、インターネットに接続されている。２は１より送信されたイメージ画像を受信するＰＣで、３はＰＣ２に接続されたプリンタまたはＭＦＰで、本システムでは印刷機能のみ担当する。
ここでまず図２により、第一実施例におけるパブリックＭＦＰ１の構成要素について説明する。
【００１７】
パブリックＭＦＰ１はＭＦＰ本体１１とフィニッシャ１７から成る。
【００１８】
ＭＦＰ本体１１は印刷機能を、フィニッシャ１７はソート、ステープル、パンチ、製本などの印刷後の後処理機能を担当する。ＭＦＰ本体１１には通信、データ入力、描画などの主たる機能の制御を司る主制御部１２、印刷の実行を制御するエンジン制御部１３、ＬＣＤなどの表示器とハードキー、タッチパネルなどの入力器からなる操作部１４、複数ページ原稿を纏めてスキャニングするＤＦ（ドキュメントフィーダ）１５、印刷の際の料金を回収するコインロボ１６、コインロボ１６とＭＦＰ主制御部１２とのインターフェースを司り、プリント枚数或いはスキャン枚数により使用料金を算出するコインロボ制御部２６、及び大容量記憶装置であり多量の印刷データ＆スキャンデータの保存を可能とするハードディスクドライブ（ＨＤＤ）１９を有す。
【００１９】
さらに、ＭＦＰ主制御部１２にはＣＰＵ２１、ＲＡＭ２２、ＲＯＭ２３、エンジン制御部１３へ出力する印刷データを生成する描画部２４、ネットワークを介して外部デバイスとの情報送受信、及びスキャナからのイメージデータの受信を行う通信制御部２５、操作部１４との情報の送受信を行う操作部制御部２７を有する。フィニッシャ１７には印刷結果が混ざらないようオフセットさせる排紙ビン１８がある。
【００２０】
さらにセンド機能で選択される、特定のフォーマット（フォーマットにはＴＩＦＦ、ＪＰＥＧ、ＰＤＦが一般的にあるが、ここではＰＤＦを特定フォーマットとする）の標準用紙サイズ（例えばＡ４、ＬＥＴＴＥＲ）を登録できる特定センドフォーマット標準用紙サイズ登録手段３１、トリミングされかつ、特定センドフォーマットに指定された原稿オブジェクトのみ、ユーザが指定するセンド解像度と異なる、第二のセンド解像度に変換する機能を持つトリミングセンド解像度変換手段３２を有す。
【００２１】
再度、図１に戻り、データの流れと機能の概略を説明する。図中の丸数字が処理の順番を示している。
【００２２】
以下、（１）から（４）は、図中では丸数字で示す。
【００２３】
［（１）］
送信ユーザが送信ＭＦＰ１において、Ａ４サイズの原稿からＡ６サイズの領域を切り取り（トリミング）、解像度３００ｄｐｉのＰＤＦフォーマットで受信ＰＣ２にセンドを行う場合、送信ＭＦＰ１では、送信ユーザがＭＦＰの操作パネルを用いて、送信する原稿の一部を切り取るトリミングを行うと、ＭＦＰはトリミングされた画像（以下トリミングオブジェクトと呼ぶ）の大きさと、予め登録されているＰＤＦフォーマットの標準印刷サイズ（ここでは＝Ａ４）と、ユーザが指定したセンド解像度から、トリミングオブジェクトが送信先で、標準印刷サイズに拡大印刷された場合に、前記ユーザ指定センド解像度と同レベルの画質となる第二のセンド解像度を算出する。
【００２４】
ついで該第二センド解像度により指定のトリミングオブジェクトをスキャニングする。
【００２５】
ここではトリミングオブジェクトの大きさがＡ６サイズ相当とすると、基準印刷サイズがＡ４に指定していたため、Ａ４拡大時にトリミングオブジェクトの大きさは４倍になるため、該トリミングオブジェクトのセンド解像度はユーザ指定センド解像度（３００ｄｐｉ）の２倍にすれば良く、６００ｄｐｉが第二センド解像度となる。
【００２６】
［（２）］
トリミングオブジェクトのみ、ＭＦＰが算出した第二センド解像度でスキャニングして、トリミングしない原稿はユーザ指定のセンド解像度でスキャニングして、指定フォーマットに変換したデータを受信ＰＣ２に送信する。
【００２７】
［（３）］
受信ＰＣ２には送信ＭＦＰ１にてトリミングしたデータのみは第二センド解像度（ここでは６００ｄｐｉ）のＰＤＦデータとして格納され、その他のセンドデータはユーザ指定のセンド解像度（ここでは３００ｄｐｉ）のＰＤＦデータとして格納される。
【００２８】
［（４）］
受信ユーザが該受信ＰＤＦデータを印刷ＭＦＰ３を用いて印刷しようとすると、受信ＰＣ２上の印刷ＭＦＰ３専用のプリンタドライバは該受信ＰＤＦデータを印刷データに変換する。ＰＤＦは基本的に印刷用紙サイズを明確に規定しないフォーマットであるため、該プリンタドライバの操作ウィンドウ上では通常
“用紙サイズに合わせて自動拡大”または
“用紙サイズに合わせて自動縮小”
のチェックボックスがＯＮになっている。
【００２９】
受信したＰＤＦデータの中のトリミングオブジェクト部のみＡ６サイズであるが、上記のプリンタドライバの設定で印刷を実行すると、印刷ＭＦＰ３は該Ａ６サイズのトリミングオブジェクトをＡ４に拡大して印刷することとなる。このとき４倍に拡大印刷することでその部分の印刷解像度が１／２になるが、該トリミングオブジェクトは送信ＭＦＰ１において２倍の解像度でスキャニングしているため、４倍に拡大印刷しても他のトリミングしない等倍ページ部と同様にユーザ指定のセンド解像度と同等の解像度で印刷される、というものである。
【００３０】
さらに図３と図４を用いて第一実施例におけるパブリックトリミングスキャンについてより詳細に説明する。文中のナンバリングされた各手段は図２の各構成要素である。
【００３１】
なお、図４−（１）から図４−（３）の括弧数字は、図面中は丸数字で示す。
【００３２】
まず、ユーザがセンドする原稿を送信ＭＦＰ１の原稿台にセットし（Ｓ１０１）、操作部１４を用いてセンド部分のトリミングを行う（Ｓ１０２）。
【００３３】
送信ＭＦＰ１はトリミングされる原稿部分（以下トリミングオブジェクト）の大きさを算出する（Ｓ１０３）《図４−（１）参照》。
【００３４】
ユーザは操作部１４よりセンド解像度とセンドフォーマットを入力する（Ｓ１０４）。
【００３５】
センドフォーマットを判定し（Ｓ１０５）、もしドキュメントフォーマット（ここではＰＤＦ）であれば、送信ＭＦＰ１は特定センドフォーマット標準用紙サイズ登録手段３１の登録データからＰＤＦ標準用紙サイズを入手し（Ｓ１０６）、以下の数式で第二センド解像度を算出する（Ｓ１０７）。
【００３６】
第二センド解像度算出
＝指定センド解像度＊
√（ＰＤＦ標準用紙サイズ／トリミングオブジェクトサイズ）
今、指定センド解像度が３００ｄｐｉでＰＤＦ標準サイズがＡ４として、トリミングオブジェクトサイズが約Ａ５サイズであれば、
第二センド解像度＝３００＊√２＝４２４≒４００ｄｐｉ（適正値補正＝Ｓ１０８）
となり、トリミングオブジェクトサイズが約Ａ６サイズであれば、
第二センド解像度＝３００＊√４＝６００ｄｐｉ（適正値補正＝Ｓ１０８）
となる。
【００３７】
該算出された第二センド解像度によりトリミングオブジェクトはスキャニングされ、ユーザ指定のセンド解像度よりも、より高解像度のＰＤＦデータとして生成され（Ｓ１０８）、受信ＰＣ２へ送信される（Ｓ１１１）《図４−（２）参照》。
【００３８】
一方センドフォーマットがＴＩＦＦ、ＪＰＥＧなどのイメージフォーマットであった場合はトリミングを指定されていても指定センド解像度でスキャニングし（Ｓ１１０）、フォーマット変換後、受信ＰＣ２へ送信する（Ｓ１１１）。
【００３９】
受信ＰＣ２が受信したトリミングオブジェクトのＰＤＦデータを印刷すると、図４−（３）に示すように、トリミングセンドオブジェクト（ここではＡ６サイズ、６００ｄｐｉとする）を等倍で印刷した場合は解像度６００ｄｐｉと、送信ユーザ所望の解像度（＝３００ｄｐｉ）よりも高画質の印刷結果となり、一方、Ａ６サイズをＰＤＦ標準用紙サイズであるＡ４に拡大印刷しても、印刷解像度は３００ｄｐｉとなり、送信ユーザ所望の解像度（＝３００ｄｐｉ）を実現できる。
【００４０】
また、トリミングセンドオブジェクトがＡ５サイズ、４００ｄｐｉの場合はＰＤＦ等倍印刷時の印刷解像度は４００ｄｐｉで、Ａ４サイズへのＰＤＦ拡大印刷時の印刷解像度は
４００／（√（Ａ４サイズ／Ａ５サイズ））＝４００／√２
＝２８２ｄｐｉ
となり、拡大印刷時でも送信ユーザ指定センド解像度相当の印刷画質を提供できる。
【００４１】
以上説明したように従来トリミング送信した画像を受信ユーザが拡大印刷すると印刷画質が劣化する、と言う不具合が改善され、送信ユーザ、受信ユーザが意識せずとも良好な受信後印刷が可能なセンド機能が可能になる。
【００４２】
［第二実施例］
図５に本発明の第ニ実施例であるパブリックＭＦＰのブロック図を示す。第二実施例のシステム構成は第一実施例（図１）と同一である。図５において第一実施例で説明済みの構成要素に関しては同じ番号を付与しており、説明を省略するものとする。
【００４３】
パブリックＭＦＰ６はＭＦＰ本体１１とフィニッシャ１７から成る。ＭＦＰ本体１１にはＭＦＰ主制御部１２、エンジン制御部１３、操作部１４、ドキュメントフィーダ１５、コインロボ１６、ハードディスクドライブ１９を有す。コインロボ１６とＭＦＰ主制御部１２とのインターフェースを司るコインロボ制御部４１は本実施例においては、センド機能使用時、センドデータ量に応じて料金を算出する機能を有する。
【００４４】
さらに、ＭＦＰ主制御部１２にはＣＰＵ２１、ＲＡＭ２２、ＲＯＭ２３、描画部２４、通信制御部２５、操作部制御部２７を有する。
【００４５】
また第一実施例と同様にセンド機能で選択される、特定のフォーマット（フォーマットにはＴＩＦＦ、ＪＰＥＧ、ＰＤＦが一般的にあるが、ここではＰＤＦを特定フォーマットとする）の標準用紙サイズ（例えばＡ４、ＬＥＴＴＥＲ）を登録できる特定センドフォーマット標準用紙サイズ登録手段３１と、トリミングされかつ、特定フォーマットに指定されたオブジェクトに限り、ユーザが指定するセンド解像度と異なる、第二のセンド解像度に変換する機能を持つトリミングセンド解像度変換手段４２を有す。
【００４６】
第二実施例においては、パブリックＭＦＰ６はセンドするデータ量に応じて課金量を変えるため、トリミングセンドオブジェクトをユーザ指定の解像度よりも高解像度スキャンする場合に、送信ユーザに対して、操作部により、トリミング部高解像度スキャニングの是非を問いあわせる機能を持ち、トリミングセンド解像度変換手段４１はユーザからの該許可コマンドを待って、高解像度スキャンを実行すると言う特徴がある。
【００４７】
次に図６のフローチャートと図７の操作部表示例を用いて第ニ実施例におけるパブリックトリミングスキャンについてより詳細に説明する。文中のナンバリングされた各手段は図５の各構成要素である。
【００４８】
ユーザがセンドする原稿を送信ＭＦＰ６の原稿台にセットし（Ｓ２０１）、操作部１４を用いてセンド部分のトリミングを行う（Ｓ２０２、図７−Ｓ１００１）。送信ＭＦＰ１はトリミングされる原稿部分（以下トリミングオブジェクト）の大きさを算出する（Ｓ２０３）。
【００４９】
ユーザは操作部１４よりセンド解像度とセンドフォーマットを入力する（Ｓ２０４、図７−Ｓ１００２）。センドフォーマットを判定し（Ｓ２０５）、もしドキュメントフォーマット（ここではＰＤＦ）であれば、送信ＭＦＰ６は特定センドフォーマット標準用紙サイズ登録手段３１の登録データからＰＤＦ標準用紙サイズを入手し（Ｓ２０６）、以下の数式でトリミングオブジェクトの印刷画質を向上させる第二センド解像度を算出する（Ｓ２０７）。
【００５０】
第二センド解像度算出
＝指定センド解像度＊
√（ＰＤＦ標準用紙サイズ／トリミングオブジェクトサイズ）
第一実施例と同様に、指定センド解像度が３００ｄｐｉでＰＤＦ標準サイズがＡ４として、トリミングオブジェクトサイズが約Ａ５サイズであれば
第二センド解像度＝３００＊√２＝４２４≒４００ｄｐｉ（適正値補正＝Ｓ２０８）
となり、トリミングオブジェクトサイズが約Ａ６サイズであれば
第二センド解像度＝３００＊√４＝６００ｄｐｉ（適正値補正＝Ｓ２０８）
となる。
【００５１】
適正値補正とはパブリックＭＦＰ６が有するスキャン機能でサポートする解像度値（例えば１００ｄｐｉ，２００ｄｐｉ，３００ｄｐｉ，４００ｄｐｉ，６００ｄｐｉ，１２００ｄｐｉ）から算出した第二センド解像度の値に最も近い値を選択する機能である。
【００５２】
次にＭＦＰ６は操作部１４を用い、以下のような表現で解像度変換の実行確認を表示する（Ｓ２０９、図７―Ｓ１００３）。
【００５３】
“選択部分の印刷画質を保証するため高解像度でスキャンします”
“データ量は大きくなります”
“続行しますか  （ＯＫ）  （キヤンセル）”
これは前述のようにパブリックＭＦＰ６センドするデータ量に応じて課金量を変える仕様になっているためである。
【００５４】
もしユーザが続行ＯＫを選択すれば（Ｓ２１０）、前記算出或いは選択された第二センド解像度により、トリミングオブジェクトはスキャニングされ、ユーザ指定のセンド解像度よりも、より高解像度のＰＤＦデータとして生成される（Ｓ２１１）。
【００５５】
ここで図７−Ｓ１００４のように、ＭＦＰ６はコインロボ１６への料金の投入を要求し、ユーザが指定料金を入金したら、操作部１４のスタートボタンを押せるようになり、受信ＰＣ２へセンドＰＤＦデータが送信される（Ｓ２１３）。
【００５６】
一方センドフォーマットがＴＩＦＦ、ＪＰＥＧなどのイメージフォーマットであった場合（Ｓ２０５）、あるいはトリミングオブジェクトの高解像度スキャンをユーザが選択しなかった場合（Ｓ２１０）、指定センド解像度でスキャニングし（Ｓ２１２）、フォーマット変換後、料金投入を確認してから（Ｓ１００４）、受信ＰＣ２へ送信する（Ｓ２１３）。
【００５７】
以降は第一実施例と同様に、受信ＰＣ２が受信したトリミングオブジェクトを印刷する場合、例えＰＤＦ標準印刷用紙サイズに拡大しても、ユーザ指定センド解像度に近い解像度で印刷することが可能となる。
【００５８】
以上説明したように従来トリミング送信した画像を受信ユーザが拡大印刷すると印刷画質が劣化する、と言う不具合が改善され、送信ユーザ、受信ユーザが意識せずとも良好な受信後印刷が可能なセンド機能が可能になる。
【００５９】
また課金方法が従来の用紙枚数算出からデータ量換算に替わっても、ユーザインタフェースに続行確認表示機能を追加する事で、不要のユーザへの負担にならないという効果がある。
【図面の簡単な説明】
【００６０】
【図１】第一実施例のトリミングセンド機能システム説明図
【図２】第一実施例のパブリックＭＦＰブロック図
【図３】第一実施例のフローチャート
【図４】第一実施例のトリミングオブジェクトのサイズ＆解像度説明図
【図５】第二実施例のパブリックＭＦＰブロック図
【図６】第二実施例のフローチャート
【図７】第二実施例のトリミングセンド時の操作部表示例を示す図
【符号の説明】
【００６１】
１、６  送信パブリックＭＦＰ
２  受信ＰＣ
３  印刷ＭＦＰ
４  ネットワーク
５  プロバイダサーバ
１１  プリンタ本体
１２  ＭＦＰ主制御部
１３  エンジン制御部
１４  操作部
１５  ドキュメントフィーダ
１６  コインロボ
１７  フィニッシャ
１８  排紙ビン
１９  ＨＤＤ
２１  ＣＰＵ
２２  ＲＡＭ
２３  ＲＯＭ
２４  描画部
２５  通信制御部
２６、４１  コインロボ制御部
２７  操作部制御部
３１  特定センドフォーマット標準用紙サイズ登録手段
３２、４２  トリミングセンド解像度変換手段
【図２】
2006262345.tif 000003
【図３】
2006262345.tif 000004
【図４】
2006262345.tif 000005
【図５】
2006262345.tif 000006
【図６】
2006262345.tif 000007
【図７】
2006262345.tif 000008
【図１】
2006262345.tif 000009